(57)【要約】【課題】設置される場所の景観に調和させることができる電気機器の筐体を提供する。【解決手段】キュービクル１は、その側面の全部又は一部に設置される場所の景観に調和させるための図柄が印刷された装飾シート１０が貼り付けられる。【選択図】図１
2008061479.tif 000002
【特許請求の範囲】
【請求項１】
電気機器の筐体において、
その側面の全部又は一部には、設置される場所の景観に調和させるための図柄が印刷された装飾シートが貼り付けられる
ことを特徴とする電気機器の筐体。
【請求項２】
請求項１に記載の電気機器の筐体において、
その側面の表面には単層又は複数層からなる塗装面が形成されるとともに、その最表面に代えて前記装飾シートが貼り付けられる
ことを特徴とする電気機器の筐体。
【請求項３】
請求項１又は２に記載の電気機器の筐体において、
その表面には、前記装飾シートが貼り付けられる際の目印が設けられる
ことを特徴とする電気機器の筐体。
【請求項４】
請求項３に記載の電気機器の筐体において、
前記目印は突部又は穴である
ことを特徴とする電気機器の筐体。
【請求項５】
請求項４に記載の電気機器の筐体において、
前記目印として突部を採用した場合、前記装飾シートの突部に対応する部位に前記突部の外郭形状と同形状の孔を形成する
ことを特徴とする電気機器の筐体。
【請求項６】
メンテナンス用の開口部を閉塞する開閉扉を備えてなり、前記装飾シートは同開閉扉の表面に貼り付けられるとともに、前記装飾シートの端部は同開閉扉の側部を介して同開閉扉の裏面側に巻き込まれるように貼り付けられる
請求項１〜５のいずれか一項に記載の電気機器の筐体。
【請求項７】
請求項６に記載の電気機器の筐体において、
前記装飾シートの端部と前記開閉扉の裏面との間は、シーリング材により密封される
ことを特徴とする電気機器の筐体。
【請求項８】
請求項６に記載の電気機器の筐体において、
前記開閉扉の裏面と前記開口部の周縁部との間にはパッキンを配設し、前記装飾シートの端部は、前記開閉扉の裏面において前記パッキンに対応する部位よりも内側に位置する
ことを特徴とする電気機器の筐体。
【請求項９】
請求項１〜８のいずれか一項に記載の電気機器の筐体において、
複数枚の装飾シートを組み合わせて貼り付けることにより単一の図柄を構成するようにし、それら装飾シートの境界部分は両面粘着テープを介して貼り付けられる
ことを特徴とする電気機器の筐体。
【請求項１０】
請求項１〜９のいずれか一項に記載の電気機器の筐体において、
前記装飾シートには、機器の名称又は広告内容を示す文字や記号が印刷される
ことを特徴とする電気機器の筐体。
【請求項１１】
前記電気機器は、高圧受電設備、制御盤、電光掲示板である
請求項１〜１０のいずれか一項に記載の電気機器の筐体。
【発明の詳細な説明】
【技術分野】
【０００１】
この発明は、電気機器の筐体に関する。
【背景技術】
【０００２】
現代社会においては、電気は欠かせないものであり、この電気を供給する設備として、電気事業者から高圧で受電し、低圧に変圧し、電気を供給するキュービクル式高圧受電設備（以下、「キュービクル」という。）が多くの建築物に設置されている。キュービクルは、電気事業者から高圧で受電するための機器及び変圧器、コンデンサ、その他の保安機器等の機器一式が金属製の筐体に収容されたものである（例えば、特許文献１参照。）。
【特許文献１】特開平９−１６３５１８号公報
【発明の開示】
【発明が解決しようとする課題】
【０００３】
ところで、キュービクルの外面は、一般的に無地であり、白色や栗色等の塗装がなされている。このため、設置される場所の景観が損なわれるおそれがある。また、例えば制御盤や電光掲示板等の電気機器の筐体においても同様である。
【０００４】
この発明は、こうした実情に鑑みてなされたものであり、その目的は、設置される場所の景観に調和させることができる電気機器の筐体を提供することにある。
【課題を解決するための手段】
【０００５】
以下、上記目的を達成するための手段及びその作用効果について説明する。
請求項１に記載の発明は、電気機器が収められた筐体において、その側面の全部又は一部には、設置される場所の景観に調和させるための図柄が印刷された装飾シートが貼り付けられることをその要旨としている。
【０００６】
同構成によれば、筐体の側面の全部又は一部に、図柄が印刷された装飾シートが貼り付けられることにより、無地の塗装が施された筐体を採用する場合と異なり、設置される場所の景観に調和させることができる。例えば、屋外において、田畑あるいは山の近くに設置された電気機器の筐体の側面には、草木及び山の図柄が印刷された装飾シートを貼り付けることによって周囲の環境に調和させることができるようになる。なお、ここでの図柄とは、植物、動物、建物及び乗り物の絵図、並びにそれらの写真を含む。
【０００７】
請求項２に記載の発明は、請求項１に記載の電気機器の筐体において、その側面の表面には単層又は複数層からなる塗装面が形成されるとともに、その最表面に代えて前記装飾シートが貼り付けられることをその要旨としている。
【０００８】
同構成によれば、塗装の代わりに装飾シートを用いることにより、塗装に用いる塗料の使用量を削減することができる。また、塗装に係る工数を低減させることができる。この結果、電気機器の製造コストを低減することができる。
【０００９】
請求項３に記載の発明は、請求項１又は２に記載の電気機器の筐体において、その表面には前記装飾シートが貼り付けられる際の目印が設けられることをその要旨としている。
同構成によれば、装飾シートを貼り付ける際の位置決めが行い易くなり、装飾シートの貼り付け作業が向上する。
【００１０】
請求項４に記載の発明は、請求項３に記載の電気機器の筐体において、前記目印は突部又は穴であることをその要旨としている。
同構成によれば、目視によって目印がわからない場合でも手で触ることによって位置を確認することができる。その結果、装飾シートを貼り付ける際の位置決めが更に行い易くなる。なお、穴は、筐体の側壁を貫通するもの及び貫通しないものの双方を含む。
【００１１】
請求項５に記載の発明は、請求項４に記載の電気機器の筐体において、前記目印として突部を採用した場合、前記装飾シートの突部に対応する部位に前記突部の外郭形状と同形状の孔を形成することをその要旨としている。
【００１２】
筐体の表面に設けられた突部を目印として装飾シートの筐体に対する位置決めは簡易になる。しかし、この場合、筐体の表面と装飾シートとの間に気泡が形成される場合がある。上記構成によれば、突部に対応する部位に孔が形成されているため、装飾シートを貼り付ける際、気泡が形成されにくくなる。ひいては、電気機器の外観性が確保される。また、装飾シートに設けられた孔を突部に一致させることによって、簡単に装飾シートの位置決めを行うことができる。
【００１３】
請求項６に記載の発明は、請求項１〜５のいずれか一項に記載の電気機器の筐体に、メンテナンス用の開口部を閉塞する開閉扉を備えてなり、前記装飾シートは同開閉扉の表面に貼り付けられるとともに、前記装飾シートの端部は同開閉扉の側部を介して同開閉扉の裏面側に巻き込まれるように貼り付けられることをその要旨としている。
【００１４】
同構成によれば、装飾シートの端部が開閉扉の内側に巻き込まれることにより、水等が装飾シートと筐体の表面との間に入り込むことが抑制されるとともに、当該水等の浸入に起因する装飾シートの剥離を抑制することができる。電気機器を屋外に設置する場合には、特に有効である。
【００１５】
請求項７に記載の発明は、請求項６に記載の電気機器の筐体において、前記装飾シートの端部と前記開閉扉の裏面との間は、シーリング材により密封されることをその要旨としている。
【００１６】
同構成によれば、水等の浸入口となる装飾シートの端部と開閉扉の裏面との間がシーリング材により密封されるため、筐体の表面と装飾シートとの間に水等が浸入することを更に抑制することができる。
【００１７】
請求項８に記載の発明は、請求項６に記載の電気機器の筐体において、前記開閉扉の裏面と前記開口部の周縁部との間にはパッキンを配設し、前記装飾シートの端部は、前記開閉扉の裏面において前記パッキンに対応する部位よりも内側に位置することをその要旨としている。
【００１８】
装飾シートの端部と筐体の表面との間には、装飾シートの表面を伝う等して水等が浸入するおそれがある。同構成によれば、開閉扉が閉じられた状態においては、パッキンにより、開閉扉の裏面と筐体の表面との間の水密性が確保される。このため、装飾シートの表面を伝う等する水等がパッキンの内周側へ浸入することはない。そして、装飾シートの表面は、パッキンより内側（内周側）に位置するため、筐体の表面と装飾シートとの間に水等が浸入することもない。
【００１９】
請求項９に記載の発明は、請求項１〜８のいずれか一項に記載の電気機器の筐体において、複数枚の装飾シートを組み合わせて貼り付けることにより単一の図柄を構成するようにし、それら装飾シートの境界部分は両面粘着テープを介して貼り付けられることをその要旨としている。
【００２０】
複数枚の掃拭シートを用いた場合には、それら装飾シートの境界部分から水等が浸入するおそれがある。この点、上記構成によれば、筐体の表面と装飾シートの境界部分とが両面粘着テープを介して接着されることにより、筐体の表面と装飾シートの境界部分との間に水等が浸入することを抑制することができる。
【００２１】
請求項１０に記載の発明は、請求項１〜９のいずれか一項に記載の電気機器の筐体において、前記装飾シートには、機器の名称又は広告内容を示す文字や記号が印刷されることを要旨としている。
【００２２】
一般に、電気機器の名称は、それが印字されたプレート（銘板）を筐体の表面に設けることにより行われる。これに対して、上記構成によれば、プレートを用いる必要がなくなり、その分製品コストの削減ができる。また、景観に調和させつつ広告を行うこともできる。
【００２３】
請求項１１に記載の発明は、請求項１〜１０のいずれか一項に記載の電気機器の筐体において、前記電気機器は、高圧受電設備、制御盤、電光掲示板であることを要旨としている。
【００２４】
高圧受変電設備、制御盤、電光掲示板等の電気機器の筐体は、一般的に無地の塗装が施され、景観に調和したとは言い難い。上記構成によれば、これらの電気機器の筐体を設置場所の景観に調和させることができる。
【発明の効果】
【００２５】
本発明によれば、設置された場所の景観に調和した電気機器の筐体とすることができる。
【発明を実施するための最良の形態】
【００２６】
以下、本発明に係る電気機器の筐体をキュービクル式高圧受電設備（以下、「キュービクル」という。）に具体化した一実施形態について図１〜５を参照して説明する。
図１は、屋外に設置された状態でのキュービクルの全体図である。図２は、キュービクルの正面図である。図３は、突部としての仮装ねじを示す図である。図４は、キュービクルの開閉扉（図２）のＡ−Ａ断面図である。図５は、キュービクルの表面の断面図である。
【００２７】
キュービクル１は、電気事業者から高圧で受電するための機器及び変圧器、コンデンサ、その他の保安機器等の機器一式が金属製の筐体に収容されたものである。図１に示されるように、キュービクル１の前面には、設置される場所の景観に調和させるための図柄として風景を撮影した写真が印刷された装飾シート１０が貼り付けられている。
【００２８】
図２に示されるように、キュービクル１は、土台９に設置された二つの箱型の筐体１ａ，１ｂを備えてなる。各筐体１ａ，１ｂの正面には、図示しないメンテナンス用の開口部を閉塞する開閉扉２が二つずつ設けられている。各開閉扉２には、扉ノブ３が一つずつ設けられている。また、変圧器等の発熱体が収容される筐体１ｂ（本実施形態では、右側の筐体）の二つの開閉扉２には、通気窓４がそれぞれ設けられている。そして、本実施形態では、キュービクル１の四つの開閉扉２の表面に各々一枚ずつ装飾シート１０が貼り付けられている。これらの装飾シート１０は、四枚で単一の図柄を構成するようになっている。四つの開閉扉２の上部の左右の隅には、装飾シート１０を貼り付ける際の位置決めを容易にするための目印となる突部としての仮装ねじ６が螺着されている。そして、左側の筐体１ａの右側の開閉扉２に示されるように、装飾シート１０には、開閉扉２の仮装ねじ６に対応する部位となる上部の隅に仮装ねじ６の外郭形状と同形状の位置決め孔１０ａが形成されている。装飾シート１０は、位置決め孔１０ａを仮装ねじ６の突出部６ａに一致させるように開閉扉２の表面に貼り付けられている。
【００２９】
また、装飾シート１０には、各筐体１ａ，１ｂの内部に設置される機器（正確には、それらの機能）の名称１０ｂを示す「電灯盤」、「動力盤」、「高圧受電」、「高圧引込」の文字が各開閉扉２に印刷されている。さらに、左側の筐体１ａの左側の開閉扉２の下部には、広告１０ｃが印刷されている。本例では、広告１０ｃとして、製造メーカ名である「ＨＩＴＡＣＨＩ」の文字が採用されている。
【００３０】
仮装ねじ６は、図３（ａ）に示されるように、円柱状で、上半分が突部となる突出部６ａであるとともに、下半分が開閉扉２に螺着されるねじ部６ｂである。突出部６ａの長さは、装飾シート１０の厚さより長くなっている。
【００３１】
図４に示されるように、開閉扉２の裏面と筐体１ａ，１ｂの開口部の周縁部となる側壁５の端部５ａとの間には、それらの水密性を確保するパッキン７が配設されている。装飾シート１０の端部は、開閉扉２の側部を介して開閉扉２の裏面側に巻き込まれるように貼り付けられる。そして、図４の装飾シート１０の右側の端部は、開閉扉２の裏面においてパッキン７に対応する部位よりも内側（図４における左側）に位置する。装飾シート１０の端部と開閉扉２の裏面との間は、シーリング材３０により密封されている。なお、シーリング材３０としては、例えばＰＯＳシール（登録商標）を用いる。
【００３２】
次に、開閉扉２の表面の塗装と装飾シート１０について説明する。図５に示されるように、開閉扉２を構成する鋼板２０の表面には、二層からなる塗装面が形成されている。この二層の塗装面は、下塗り層２１と中塗り層２２とからなる。通常では、この二層の上層に上塗り層が形成される。しかしながら、本実施形態では最表面となる該上塗り層の代わりに装飾シート１０が貼り付けられている。
【００３３】
以上、説明した実施形態によれば、以下の作用効果を奏することができる。
（１）筐体１ａ，１ｂの側面の開閉扉２に、図柄として風景を撮影した写真が印刷された装飾シート１０が貼り付けられることにより、無地の塗装が施された筐体を採用する場合と異なり、設置される場所の景観に調和させることができる。また、装飾シート１０の寿命がきた際や落書き等をされた場合には、新しい装飾シート１０に張り替えればよいため、設置場所での補修作業が容易である。さらに、既存（納入済み）のものにも補修塗りの代わりに装飾シート１０を貼り付けることで補修することができる。
【００３４】
（２）塗装の代わりに装飾シート１０を用いることにより、塗装に用いる塗料の使用量を削減することができる。また、塗装に係る工数を低減させることができる。このため、電気機器の製造コストを低減することができる。また、塩害対策を講じ易くなる。例えば、沿岸等の過酷な環境に設置されるキュービクル１は、塩分を含んだ風にさらされることにより、内陸に設置されるものに比べて腐食等の進行が速い。そこで、通常よりも塗装面を厚くすることにより、製品寿命（塗装寿命）を確保することが一般的に行われる。しかし、塗装面を厚くするほど耐候性は高められる一方で、衝撃を受けると割れ等が発生し易くなる。本発明によれば、塩分を含んだ風は、筐体表面に貼り付けられた装飾シート１０に当たり、その下の塗装面（下塗り層２１，中塗り層２２）に直接的に塩分を含んだ風が当たることがない。このため、塗装面の厚みを低減することができる。
【００３５】
（３）開閉扉２の表面に目印としての仮装ねじ６が設けられるため、装飾シート１０を貼り付ける際の位置決めが行い易くなり、装飾シート１０の貼り付け作業が向上する。また、目視によって目印がわからない場合でも手で触ることによって位置を確認することができる。
【００３６】
（４）装飾シート１０には、突部としての仮装ねじ６に対応する部位に位置決め孔１０ａが形成されているため、装飾シート１０を貼り付ける際、気泡が形成されにくくなる。ひいては、キュービクル１の外観性が確保される。また、装飾シート１０に設けられた位置決め孔１０ａを仮装ねじ６に一致させることによって、簡単に装飾シート１０の位置決めを行うことができる。
【００３７】
（５）装飾シート１０の端部が開閉扉２の内側に巻き込まれることにより、水等が装飾シート１０と開閉扉２の表面との間に入り込むことが抑制されるとともに、当該水等の侵入に起因する装飾シート１０の剥離を抑制することができる。
【００３８】
（６）水等の侵入口となる装飾シート１０の端部と開閉扉２の裏面との間がシーリング材３０により密封されるため、開閉扉２の表面と装飾シート１０との間に水等が浸入することを更に抑制することができる。
【００３９】
（７）開閉扉２の裏面と筐体１ａ，１ｂの開口部の周縁部となる側壁５の端部５ａとの間には、それらの水密性を確保するパッキン７が配設されている。このため、開閉扉２が閉じられた状態においては、装飾シート１０の表面を伝う等する水等がパッキン７の内周側へ浸入することはない。そして、装飾シート１０の端部は、パッキン７より内側（内周側）に位置するため、開閉扉２の表面と装飾シート１０との間に水等が侵入することを更に抑制することができる。
【００４０】
（８）装飾シート１０には、各筐体１ａ，１ｂの内部に設置される機器の名称１０ｂ及び広告１０ｃを示す文字が各開閉扉２に印刷されている。このため、プレート（銘板）を用いる必要がなくなり、その分製品コストの削減ができる。また、景観に調和させつつ広告を行うこともできる。
【００４１】
なお、上記実施形態は、これを適宜変更した以下の形態にて実施することができる。
・上記実施形態のキュービクル１では、二つの筐体１ａ，１ｂからなるようにしたが、必ずしも二つの筐体１ａ，１ｂを設ける必要はなく、受電設備の機器に必要な大きさに合わせて筐体の数を決めればよい。
【００４２】
・上記実施形態では、目印としての仮装ねじ６を用いたが、図３（ｂ）に示されるようなゴムブッシュ６０を用いてもよい。ゴムブッシュ６０は、突出部６０ａと押込部６０ｂとからなり、ゴムブッシュ６０を開閉扉２の表面に形成された穴に押し込むことにより突部を形成するようにしてもよい。また、これらの突出部６ａ，６０ａを図３（ｃ）及び図３（ｄ）に示されるような鍋型にしてもよい。
【００４３】
・上記実施形態では、目印として円柱の突部（仮装ねじ６の突出部６ａ）を形成したが、四角柱の突部や、穴を形成するようにしてもよい。穴は、筐体１ａ，１ｂの側壁を貫通してもよいし、貫通していなくてもよい。また、図６（ａ）に示されるように、三角形の目印６１や、図６（ｂ）に示されるように、四角形の目印６２を形成してもよい。目印６１，６２は、例えば三角形及び四角形の頭部を有するねじ又はゴムブッシュを開閉扉２の雌ねじ又は穴に装着したり、三角形及び四角形のシールを貼り付けたりすることにり設ける。この場合、装飾シート１０の角を、目印６１，６２の開閉扉２の隅側に位置する角に合わせることによって、位置決めを行う。
【００４４】
・上記実施形態では、機器の名称１０ｂや広告１０ｃを装飾シート１０に図柄とともに印刷するようにしたが、必要がなければ印刷しなくてもよい。
・上記実施形態では、開閉扉２につき一枚の装飾シート１０を用いたが、図７（ａ）に示されるように、開閉扉２につき複数枚（ここでは二枚）の装飾シート１１，１２を組み合わせて貼り付けることにより単一の図柄を構成するようにしてもよい。そして、これら装飾シート１１，１２の境界部分は、図７（ｂ）に示されるように、開閉扉２の表面と両面粘着テープ３１を介して貼り付けてもよい。すなわち、両面粘着テープ３１は、複数枚の装飾シートのうち、隣り合う装飾シートの継ぎ目をそれらの裏面側から目張りするように配設される。同構成によれば、装飾シート１１，１２の境界部分を両面粘着テープ３１によって確実に着接させることによって水等の浸入を抑制することができる。ひいては、水等の浸入に伴う錆等の発生を抑制することができる。
【００４５】
・上記実施形態では、装飾シート１０の端部は、開閉扉２の裏面においてパッキン７に対応する部位よりも内側（内周側）に位置するようにしたが、密封することができるならば、装飾シート１０の端部をパッキン７に対応する部位よりも外側にしてもよい。また、装飾シート１０の端部を開閉扉２の裏面側へ巻き込むことなく、側部に位置させるようにしてもよい。この場合、装飾シート１０の端部をシーリング材３０により封止するようにしてもよい。
【００４６】
・上記実施形態では、装飾シート１０の端部と開閉扉２の裏面との間は、シーリング材３０により密封するようにしたが、開閉扉２の側部を介することによって耐候性が保てるならば、シーリング材３０を用いなくともよい。
【００４７】
・上記実施形態では、装飾シート１０の端部は、開閉扉２の側部を介して開閉扉２の裏面側に巻き込まれるように貼り付けられるようにしたが、例えば、キュービクル１を屋内に設置する場合など、高い耐候性が必要ないならば、裏面側に巻き込まなくてもよい。例えば、前述したように、装飾シート１０の端部を開閉扉２の側部に位置させる。
【００４８】
・上記実施形態では、装飾シート１０には開閉扉２の仮装ねじ６に対応する部位となる上方の隅に仮装ねじ６の外郭形状と同形状の位置決め孔１０ａを形成したが、仮装ねじ６によって位置決めが行えるならば、必ずしも位置決め孔１０ａを設けなくてもよい。この場合、仮装ねじ６の突出部６ａの厚さはなるべく小さく設定することが望ましい。
【００４９】
・上記実施形態では、開閉扉２に目印となる仮装ねじ６を設けたが、目印がなくとも装飾シート１０を貼り付けることができるならば、目印を設けなくてもよい。
・上記実施形態では、最表面となる上塗り層の代わりに装飾シート１０を貼り付けたが、全ての塗装面に代えて装飾シート１０を貼り付けるようにしてもよい。塗装が省略されることにより、製造コストが低減する。
【００５０】
・上記実施形態では、本発明をキュービクル１に用いたが、図８（ａ）に示されるようなポール型制御盤１０１、図８（ｂ）に示されるような装柱型制御盤１０２、及び図９に示されるような電光掲示板１０３の筐体のハッチング部分に設置場所の景観に調和した図柄が印刷された装飾シートを貼り付けることにより、設置場所の景観に調和させることができる。
【００５１】
・上記実施形態では、目印として仮装ねじ６を開閉扉２の表面に配設するようにしたが、次のようにしてもよい。すなわち、装飾シート１０を開閉扉２の側部又は裏面へ巻き込むように貼り付ける場合、仮装ねじ６は、例えば開閉扉２の側縁部に設けるようにしてもよい。このようにすれば、仮装ねじ６は目立たなくなり、キュービクル１の外観性が向上する。
【００５２】
・キュービクル１は、屋外及び屋内のいずれに設置してもよい。屋内に設置する場合であれ、その設置環境（屋内環境）に応じた図柄を有する装飾シートを貼り付けることにより、設置環境に調和させることができる。
【００５３】
・装飾シート１０には、写真に代えて絵及び図を印刷するようにしてもよい。
・上記実施形態では、キュービクル１の前面にのみ装飾シート１０を貼り付けるようにしたが、全ての側面に貼り付けるようにしてもよい。
【図面の簡単な説明】
【００５４】
【図１】設置された状態でのキュービクルの全体図。
【図２】キュービクルの正面図。
【図３】（ａ）仮装ねじを示す図。（ｂ）ゴムブッシュを示す図。（ｃ）仮装ねじを示す図。（ｄ）ゴムブッシュを示す図。
【図４】キュービクルの開閉扉のＡ−Ａ断面図。
【図５】キュービクルの表面の断面図。
【図６】（ａ）三角形の目印を示す図。（ｂ）四角形の目印を示す図。
【図７】（ａ）開閉扉の正面図。（ｂ）装飾シートの境界部分を示すＢ−Ｂ断面図。
【図８】（ａ）（ｂ）制御盤を示す斜視図。
【図９】電光掲示板を示す斜視図。
【符号の説明】
【００５５】
１…キュービクル、１ａ，１ｂ…筐体、２…開閉扉、３…扉ノブ、３ａ…扉ノブ孔、４…通気窓、５…側壁、５ａ…端部、６…仮装ねじ、６ａ…突出部、６ｂ…ねじ部、７…パッキン、９…土台、１０…装飾シート、１０ａ…位置決め孔、１０ｂ…名称、１０ｃ…広告、１１…上部装飾シート、１１ａ…位置決め孔、１２…下部装飾シート、１２ａ…位置決め孔、２０…鋼板、２１…下塗り層、２２…中塗り層、３０…シーリング材、３１…粘着両面テープ、６０…ゴムブッシュ、６０ａ…突出部、６０ｂ…ねじ部、６１…三角形の目印，６２…四角形の目印、１０１…ポール型制御盤、１０２…装柱型制御盤、１０３…電光掲示板。
【図１】
2008061479.tif 000003
【図２】
2008061479.tif 000004
【図３】
2008061479.tif 000005
【図４】
2008061479.tif 000006
【図５】
2008061479.tif 000007
【図６】
2008061479.tif 000008
【図７】
2008061479.tif 000009
【図８】
2008061479.tif 000010
【図９】
2008061479.tif 000011